(57)【要約】      （修正有）【課題】植物の育成において注水回数の減少を図り植物の育成手数を軽減するプランター構造を提供する。【解決手段】プランター構造は、底部に吸水スポンジ層３を備え、吸水スポンジ層３の上面に園芸土層４を形成した。好ましくはプランター１の周壁の底部近くに開閉自在の排水口２が形成され、さらに好ましくは吸水スポンジ層３に雑菌防止剤が含侵させられ、さらに好ましくは吸水スポンジ層３に液肥が含侵させられる。【選択図】図１
0003234398.tif 000002
【実用新案登録請求の範囲】
【請求項１】
底部に吸水スポンジ層を備え、該吸水スポンジ層の上面に園芸土層を形成したことを特徴とするプランター構造。
【請求項２】
プランターの周壁の底部近くに開閉自在の排水口を形成したことを特徴とする請求項１に記載のプランター構造。
【請求項３】
吸水スポンジ層に雑菌防止剤を含侵させたことを特徴とする請求項１又は２に記載のプランター構造。
【請求項４】
吸水スポンジ層に液肥を含侵させたことを特徴とする請求項１、２又は３に記載のプランター構造。
【考案の詳細な説明】
【技術分野】
【０００１】
本考案は、プランターによる植物の育成において注水回数の減少を図り植物の育成管理の手数を軽減するプランター構造に関する。
【背景技術】
【０００２】
市販のプランターによる草花、その他の植物の育成は一般家庭のほか、来客を予定しているレストラン、ホテルなどの屋内において行われている場合が多い。屋内におけるプランターによる植物の育成管理は屋外における植物の育成管理に比べて特に注水不足による植物の立ち枯れを防止することが必要である。
【０００３】
植物の立ち枯れを防止するためには注水を適時に行う必要がある。しかしながら、度重なる注水作業は手数を要するとともにしばしば忘れることが生じる。
【０００４】
そのため、注水の忘れを防止する自動制御装置も提案されている。一例として、栽培容器に土壌を入れて植物を栽培し、土壌に灌水しながら植物を栽培する植物栽培装置であって、前記土壌の水分量を検出するセンサー電極手段とコントローラ制御手段と貯水タンクと給水手段と電磁弁を備えた装置が提案されている（特許文献１）。
【０００５】
前記の注水の自動制御装置によれば、注水不足による植物の立ち枯れ及び注水忘れも防止することができる。しかしながら、プランターのほかに多くの制御装置を必要とする。特に注水源を準備する必要がある。したがって、その設置スペースの確保及び体裁にも問題が生じる。
【先行技術文献】
【特許文献】
【０００６】
【特許文献１】特許第５１６７５５１号公報
【考案の概要】
【考案が解決しようとする課題】
【０００７】
本考案は、プランターの内部構造を改良して、プランターによる植物の育成において屋内、屋外を問わず注水回数の減少を図り植物の育成管理の手数を軽減することを目的とする。さらにプランター以外に各種装置及びその設置スペースを必要としないことを特徴とする。
【課題を解決するための手段】
【０００８】
前記課題を解決する本考案のプランター構造は、底部に吸水スポンジ層を備え、該吸水スポンジ層の上部に園芸土層を形成したことを特徴とする（請求項１）。        本考案では植物の植え込みに先立ち、まず、プランターの底部に吸水スポンジが挿入される。該吸水スポンジ層の厚さはプランターの深さにより異なるがプランターの深さのほぼ半分程度が好ましい。そして吸水スポンジ層に十分な注水が行われる。
【０００９】
つぎに前記吸水スポンジ層の上部に園芸土が挿入される。該園芸土層の厚さはプランター内に残された深さの約八〜九分目程度とされる。そして、園芸土層にも十分な注水が行われて本考案のプランター構造が完成する。
【００１０】
その後、前記園芸土層に草花、その他の植物の植え込みあるいは種子の埋め込みが行われる。なお、前記の吸水スポンジ層への注水作業は園芸土層の上部から行ってもよく注水順序は任意である。
【００１１】
本考案を利用した実際の植物育成実験では、植物の成長過程でその根は園芸土層に留まらず吸水スポンジ層にも侵入することが確認された。さらに植物の植え込み完了後、約１ケ月間の注水無しの場合であっても室内において植物の成長が継続されて立ち枯れも生じなかったことも確認された。
【００１２】
なお、屋外設置の場合には雨による注水もありさらに注水不要の期間が延長される。したがって、本考案によれば屋内及び屋外を問わず定期的な注水回数を減少させることができるとともに植物の育成管理の手数が軽減される。
【００１３】
前記実験の結果から推考すると、本考案のプランター構造の注水回数は従来の園芸土層のみからなるプランター構造の注水回数に比べて大幅に減少される。
【００１４】
本考案の実施の一形態は、プランターの周壁の底部近くに開閉自在の排水口を形成したことを特徴とする（請求項２）。この実施の一形態によれば、屋内における植物の育成では前記排水口は、例えば、栓等により閉じられ使用される。
【００１５】
一方、屋外における植物の育成では前記排水口は適宜に開放することができる。例えば、雨の日が続き必要とする以上の注水が行われて園芸土層が流出するなどの状態となった場合には適宜排水口を開放して内部水を調整することができる。もっとも、屋外においても排水口を閉じておくことにより時折の雨による自然注水が行われて注水回数を減少できる場合が多いと考えられる。
【００１６】
本考案の実施の一形態は、吸水スポンジ層に雑菌防止剤を含侵させたことを特徴とする（請求項３）。雑菌防止剤は市販の水浄化剤が好ましく吸水スポンジに雑菌の発生が防止され注水が浄化されて植物の育成が長期間にわたって継続される。
【００１７】
本考案の実施の一形態は、吸水スポンジ層に液肥を含侵させたことを特徴とする（請求項４）。液肥は市販品でよく、この実施の一形態によれば、例えば、液肥の働きで食用野菜の早期生育を助長してその収穫を早めることができる。
【考案の効果】
【００１８】
本考案によれば、プランターによる植物の育成において注水回数の減少を図り植物の育成管理の手数を軽減することができる。また、結果として従来一般のプランターに比べて注水忘れによる植物の立ち枯れを防止することができる。
【図面の簡単な説明】
【００１９】
【図１】本考案の実施の一形態を示すプランター構造の断面図である。
【考案を実施するための形態】
【００２０】
本考案の一実施例を図面に基づいて説明する。図中、１は市販されている矩形のプランターであり、本考案ではプランター１の周壁の底部近くに開閉自在の排水口２が形成される。排水口２の構造は問わない。また、プランター１は矩形、その他その形状及び素材を問わない。
【００２１】
本考案では、前記プランター１の底部に吸水スポンジ層３が形成される。該吸水スポンジ層３は内部に多くの連続気泡を有し吸水性及び保水性に優れた素材からなる。例えば、生け花の際に使用されて一般にオアシスと称されている吸水スポンジであってよい。なお、吸水スポンジ層３の厚さはプランター１の深さにより異なるがプランター１の深さのほぼ半分程度とされる。
【００２２】
本考案では、前記吸水スポンジ層３の上面に園芸土層４が形成される。該園芸土層４の厚さはプランター１内に残された深さの約八〜九分目程度とされる。図中、５は育成中の植物、６はその根である。
【００２３】
前記構成の本考案のプランター構造は、前記吸水スポンジ層３及び園芸土層４に十分な注水を行って植物５の植え込みあるいは種子の埋め込みが行われる。その結果、植物５の根６は前記園芸土層４のみならず吸水スポンジ層３内にも侵入して植物の成長が行われることが確認された。
【００２４】
前記構成の本考案によれば、プランター１の底部に吸水スポンジ層３を形成したことにより注水回数の減少を図ることができ植物の育成管理の手数を軽減することができる。
【００２５】
なお、前記はいわゆるプランターについて説明であるが、焼き物などからなり底部に穴部が形成されたいわゆる植木鉢の場合に、前記と同様に吸水スポンジを利用して植物を育成する時には植木鉢を水受け皿で支持して行うことにより前記のプランターの場合と同様の効果を得ることができる。
【符号の説明】
【００２６】
１    プランター
２    排水口
３    吸水スポンジ層
４    園芸土層
５    植物
６    植物の根
【図１】
0003234398.tif 000003